【事件の表示】
　平成　８年特許願第１２４１５３号「回転電機」拒絶査定不服審判事件〔平成　９年１１月２８日出願公開、特開平　９−３０８２０１〕について、次のとおり審決する。
【結　論】
　本件審判の請求は、成り立たない。
【理　由】
１．手続の経緯・本願発明 
　本願は，平成８年５月２０日の出願であって，その請求項１に係る発明（以下「本願発明」という。）は，平成１８年１２月７日付けの手続補正書により補正された明細書及び図面の記載からみて，特許請求の範囲の請求項１に記載された次の事項により特定されるとおりのものと認める。
「回転自在に支持されたシャフトと、
　このシャフトに固定されて、外周に多数のスロットを有する電機子鉄心と、
　前記スロット内に収容される下層コイル辺と、
　この下層コイル辺の一端から前記電機子鉄心の一方の端面に沿って内周側へ延び、更にその内周端から軸方向に沿って突出する突出部を有する下層コイル端部と、
　前記スロット内で前記下層コイル辺の上層に収容される上層コイル辺と、
　この上層コイル辺の一端から前記下層コイル端部の外側を内周側へ延び、更にその内周端から軸方向に沿って突出する突出部を有する上層コイル端部とを備え、
　前記下層コイル端部の突出部と前記上層コイル端部の突出部とが電気的に接続されて電機子巻線を形成すると共に、前記上層コイル端部が整流子片として使用され、その整流子面にブラシが当接している回転電機であって、
　前記上層コイル端部の突出部の外周に嵌合して、前記下層コイル端部の突出部と前記上層コイル端部の突出部との接続部が径方向の外側へ拡がるのを防止するガラス繊維を含むフェノール樹脂から成る絶縁体からなる板状の環状部材と、この環状部材を前記上層コイル端部側へ押圧した状態で保持するカラーとを備えることを特徴とする回転電機。」
　
２．引用刊行物
（１）　当審の拒絶の理由（平成１８年１０月３日付け）で引用した特開平８−５１７４８号公報（以下「引用刊行物」という。）には，図面とともに以下の事項が記載されている。
・　「【請求項６】電機子鉄心の外周部に延設された上側導体部と前記上側導体部の端部から前記電機子鉄心の端面に沿って径内方向へ延設された外側導体部とを有するとともに前記外側導体部の軸方向の外端面がブラシ摺動面をなす外側電機子コイルと、
前記上側導体部の内側に延設された下側導体部と前記下側導体部の端部から前記電機子鉄心の端面に沿って径内方向へ延設された内側導体部とを有するとともに内側導体部の径方向内端部が前記外側導体部の径方向内端部に電気的に接続される内側電機子コイルと、
電気絶縁性を有するとともに前記電機子鉄心と前記内側導体部との間に介設された輪板状の内側絶縁体と、
電気絶縁性を有するとともに前記内側導体部と前記外側導体部との間に介設された輪板状の外側絶縁体と、
前記外側導体部の前記径方向内端部により構成されるとともに軸方向反電機子鉄心側へ延設される上側軸方向延設部と、
前記内側導体部の前記径方向内端部により構成されるとともに前記上側軸方向延設部に密接しつつ軸方向反電機子鉄心側へ延設される下側軸方向延設部と、
前記回転軸に嵌着されるとともに前記両軸方向延設部を係止するカラーと、
を備えることを特徴とする整流子型回転電機の電機子。」
・　「【０００４】
【発明が解決しようとする課題】しかしながら、自動車用のスタータなどに用いられる整流子式小型直流電動機では、特に小型軽量化が要求され、内部に減速機構を採用し電動機を高速化する手段が採用されている。そのため、より高速回転に耐えるためには、回転子である電機子の耐遠心強度が高くなければならない。」
・　「【０００９】本発明は上記問題点に鑑みなされたものであり、電機子コイルの径外方向又は周方向への変位防止が可能な整流子型回転電機の電機子を提供することを他の目的とし、更に、組立時においてこれら両導体部の位置合わせすなわち正確な位置決めが容易な整流子型回転電機の電機子を提供することを更に他の目的としている。」
・　「【００１６】　・・・　本発明によれば、従来、軸方向に膨出していたコイルエンドを省略できるとともに、外側導体部が整流子片を兼ねる。」
・　「【００２６】
【実施例】以下、本発明を図に示す実施例に基づいて説明する。図３は本発明の一実施例を示す整流子型回転電機の軸方向断面図であり、図１はその整流子部分の拡大軸方向断面図である。回転軸１０のほぼ中央部には円盤状の鋼板１５を複数積層して形成した電機子鉄心１１が嵌装されており、電機子鉄心１１の外周面には複数のスロット１３が形成され、その内部には、本発明でいう上側導体部をなすコイル２０ｅ、本発明でいう下側導体部をなすコイル２１ｅが上下二段に嵌装されている。このコイル２０ｅは外側電機子コイル２０の一部を構成し、コイル２１ｅは内側電機子コイル２１の一部を構成している。
【００２７】電機子コア１１の右端面には後述の整流子部４０が形成され、また．左端面には後述の反整流子部９０が形成されて電動機の電機子（回転子）を構成している。回転軸１０の両端は、電動機のエンドフレ−ム６０に取り付けた軸受け６１と図示しない部材に取り付けた軸受け６２とにより軸支され、エンドフレ−ム６０は、円筒鋼板からなるヨーク７０の開口を遮蔽している。ヨーク７０の内周面には界磁コイル５０が嵌装された磁極コア５１が電機子鉄心１１の周囲に近接して４個、互いに周方向に９０°離れて固定されており、これらヨーク７０、界磁コイル５０及び励磁コア５１が固定子を構成している。なお、１２は回転軸１０上に設けられたギヤで、図示されない減速機構部（例えば遊星歯車減速機構）のギヤと噛み合い、そして、回転軸１０の回転を前記図示されないギヤに伝える。
【００２８】エンドフレ−ム６０にはブラシホルダ８０が固定されており、その内側にはブラシ８１が軸方向摺動自在に保持されている。そして、ブラシホルダ８０内に設けられたスプリング８２によってブラシ８１は後述する整流子部４０の第一のコイル保持部２０ｂに押接されている。」
・　「【００３５】更に、図１、図３に示すように、コイル保持部２０ｂ、２１ｂ、２０ｄ、２１ｄの内径端部には、電機子鉄心１１とは逆方向に突出した突出部（本発明でいう軸方向延設部）２０ｇ、２１ｇ、２０ｈ、２１ｈが設けられている。すなわち、２０ｂから２０ｇが、２１ｂから２１ｇが、２０ｄから２０ｈが、２１ｄから２１ｈが軸方向へ突出している。」
・　「【００３７】絶縁部材３２は、コイル保持部２０ｂの端面内径近傍と突出部２０ｇ、２１ｇとをカラー３０から電気的に絶縁する形状となっている。また、絶縁部材３３も絶縁部材３２と同じ形状となっている。次に、本実施例のコイルの組付方法を述べる。電機子鉄心１１の両側にて、円環状絶縁体２１ａ、２１ｃが回転軸に嵌着、固定されている。まず、スロット１３内へ下層絶縁シートを挿入し、次に導体２１ｅを挿入する。そしてコイル（本明細書では導体ともいう）２１ｅの両側のコイル保持部２１ｂ、２１ｄの突出部２１ｇ、２１ｈに円環状絶縁体２０ａ、２０ｃの径内方向突部２０Ｍが嵌合するように円環状絶縁体２０ａ、２０ｃをコイル保持部２１ｂ、２１ｄの表面に沿って装着する。
【００３８】次に、コイル（導体）２１ｅ上に上層絶縁シートを挿入してからコイル（導体）２０ｅをスロット１３内へ挿入する。この時、コイル保持部２０ｂ、２０ｄの突起２０ｋを円環状絶縁体２０ａ、２０ｃの穴２０Ｌに嵌入させる。全スロット１３に両導体２０ｅ、２１ｅの挿入が完了した後、突出部２０ｇと２１ｇとを溶接等の方法で接続し、突出部２０ｈと２１ｈとを溶接等の方法で接続する。
【００３９】接続完了後、図１中、回転軸１０の左右方向より絶縁部材３２、３３を介してカラー３０、３１を圧入し、電機子鉄心１１の両側に位置するコイル保持部２０ｂ、２０ｄ、２１ｂ、２１ｄと円環状絶縁体２０ａ、２０ｃ、２１ａ、２１ｃを鉄心側へ押圧しつつ強固に固定する。カラー３０、３１の組付後、外側電機子コイル２０の軸方向突出部２０ｇ、２０ｈの外周には各々カラー３０、３１が嵌着されるとともに、上記各コイル保持部の内周側端面を押圧固定される。これにより、これら各コイル保持部の遠心力による径方向の浮上がりが防止される。」
・　「【００４９】環状絶縁体２０ａ、２１ａ、２０ｃ、２１ｃは上記の他、樹脂積層板等の適度な強度を有する絶縁物をプレス加工して形成されるが、モ−ルド樹脂材でも良い。この場合フェノール樹脂等の絶縁性、強度に優れた樹脂材を採用することができる。さらに上述の実施例では、カラー３０、３１を金属例えば鉄等としたため、絶縁部材３２、３３を配したが、カラー３０、３１に絶縁皮膜を付加したり、カラー３０、３１を絶縁材料で形成したり、突出部２０ｇ、２１ｇを絶縁処理するなどにより導体２０ｇ、２１ｇとカラー３０との間の絶縁を確保したりしてもよい。この場合には、絶縁部材３２、３３は省略しても良い。」
・　「【００５５】　・・・　他の実施例を図１１を参照して説明する。この実施例は、図１のカラー３０をガラス繊維混入の高強度樹脂成形品からなる円筒体（図１２、図１３参照）としたものであり、カラー３０は、径小筒部３０Ｔと、径大筒部３０Ｓとを有し、両者の境界に径方向の段差面３０Ｋをもつ。
【００５６】径小筒部３０Ｔは回転軸１０に嵌着され、径小筒部３０Ｔの外周面は突出部２１ｇの径内方向の表面に密接している。段差面３０Ｋから径大筒部３０Ｓ内へ軸方向反電機子鉄心側へ所定数のテーパ穴３０ｈが凹設されており、各テーパ穴３０ｈに各対の突出部２０ｇ、２１ｇが一対づつ圧入されている。なお、各テーパ穴３０ｈは、底面に向けて狭くなるようにテーパーが形成されており、所定の押圧力で各対の突出部２０ｇ、２１ｇを圧入するものとする。
【００５７】このようにすれば、この圧入反力により、各突出部２０ｇ、２１ｇは極めて強固に接触し、溶接しなくても充分に接触抵抗を低減することができる。また、このカラー３０は実施例１と同様にコイル保持部２０ｂ、２１ｂの変位、振動を抑止することができる。」
・　また，図７には，スロット内で下側導体部の上層に挿入される上側導体部が示されている。
・　また，図１で示された実施例１及び上記【００３９】の記載によると，カラー３０をコイル保持部の内周面側端面に押圧して固定することにより，コイル保持部遠心力による径方向の浮き上がりを防止することが示されており，そして図１１で示された実施例及び上記【００５７】の記載によると，カラー３０は実施例１と同様の効果を奏することが示されていることから，図１１には，径大筒部３０Ｓを前記コイル保持部２１ｂの内周側端面へ押圧した状態で固定するカラー３０が示されている。
　
　上記記載事項及び図示内容を総合すると，引用刊行物には，次の発明（以下「本願発明」という。）が記載されているといえる。
「回転軸１０と，
　この回転軸１０に嵌装されて，外周面に複数のスロット１３を有する電機子鉄心１１と，
　スロット１３内に挿入される下側導体部２１ｅと，
　この下側導体部２１ｅの端部から電機子鉄心１１の端面に沿って径内方向へ延設され，更にその径方向内端部より軸方向反電機子鉄心側へ突出する突出部２１ｇを有するコイル保持部２１ｂと，
　スロット１３内で前記下側導体部２１ｅの上層に挿入される上側導体部２０ｅと，
　この上側導体部２０ｅの端部から前記コイル保持部２１ｂの外側を径内方向へ延設され，更にその径方向内端部より軸方向反電機子鉄心側へ突出する突出部２０ｇを有するコイル保持部２０ｂとを備え，
　前記コイル保持部２１ｂの突出部２１ｇと前記コイル保持部２０ｂの突出部２０ｇとが電気的に接続されて電機子コイルを形成すると共に，前記コイル保持部２０ｂが整流子片として使用され，その整流子面にブラシ８１が押接している整流子型回転電機であって，
　前記コイル保持部２０ｂの突出部２０ｇの外周に嵌合して，前記コイル保持部２１ｂの突出部２１ｇと前記コイル保持部２０ｂの突出部２０ｇとの接続部が径方向の外側へ拡がるのを防止する径大筒部３０Ｓを有し，この径大筒部３０Ｓを前記コイル保持部２１ｂの内周側端面へ押圧した状態で固定するガラス繊維混入の高強度樹脂から成る絶縁体からなるカラー３０とを備えた整流子型回転電機。」
　
 ３．　対比 
 　本願発明と引用発明とを対比すると、以下の事項が明らかである。
・　後者の「回転軸」は，その作用・機能からみて，前者の「回転自在に支持されたシャフト」に相当し，以下同様に，「回転軸に嵌装されて」は「シャフトに固定されて」に，「外周面に複数のスロット」は「外周に多数のスロット」に，「スロット内に挿入される」は「スロット内に収容される」に，「下側導体部」は「下層コイル辺」に，「端部」は「一端」に，「電機子鉄心の端面に沿って」は「電機子鉄心の一方の端面に沿って」に，「径内方向へ延設され」は「内周側へ延び」に，「径方向内端部より」は「内周端から」に，「軸方向反電機子鉄心側」は「軸方向」に，「上側導体部」は「上層コイル辺」に，「コイル保持部２１ｂ」は「上層コイル端部」に，「コイル保持部２０ｂ」は「下層コイル端部」に，「電機子コイル」は「電機子巻線」に，「押接」は「当接」に，「整流子型回転電機」は「回転電機」に，それぞれ相当する。
・　後者の「コイル保持部２０ｂの突出部２０ｇの外周に嵌合して，前記コイル保持部２１ｂの突出部２１ｇと前記コイル保持部２０ｂの突出部２０ｇとの接続部が径方向の外側へ拡がるのを防止する径大筒部３０Ｓを有し，この径大筒部３０Ｓを前記コイル保持部２１ｂの内周側端面へ押圧した状態で固定するガラス繊維混入の高強度樹脂から成る絶縁体からなるカラー３０」と，前者の「上層コイル端部の突出部の外周に嵌合して、下層コイル端部の突出部と前記上層コイル端部の突出部との接続部が径方向の外側へ拡がるのを防止するガラス繊維を含むフェノール樹脂から成る絶縁体からなる板状の環状部材と、この環状部材を前記上層コイル端部側へ押圧した状態で保持するカラー」とは，「上層コイル端部の突出部の外周に嵌合して、下層コイル端部の突出部と前記上層コイル端部の突出部との接続部が径方向の外側へ拡がるのを防止するガラス繊維を含む樹脂から成る絶縁体からなる環状部材を前記上層コイル端部側へ押圧した状態で保持するカラー」の点で共通するといえる。
　すると，両者の一致点，相違点は以下のとおりとなる。
（１）一致点
「回転自在に支持されたシャフトと，
　このシャフトに固定されて、外周に多数のスロットを有する電機子鉄心と，
　前記スロット内に収容される下層コイル辺と，
　この下層コイル辺の一端から前記電機子鉄心の一方の端面に沿って内周側へ延び、更にその内周端から軸方向に沿って突出する突出部を有する下層コイル端部と，
　前記スロット内で前記下層コイル辺の上層に収容される上層コイル辺と，
　この上層コイル辺の一端から前記下層コイル端部の外側を内周側へ延び，更にその内周端から軸方向に沿って突出する突出部を有する上層コイル端部とを備え，
　前記下層コイル端部の突出部と前記上層コイル端部の突出部とが電気的に接続されて電機子巻線を形成すると共に、前記上層コイル端部が整流子片として使用され，その整流子面にブラシが当接している回転電機であって，
　前記上層コイル端部の突出部の外周に嵌合して，前記下層コイル端部の突出部と前記上層コイル端部の突出部との接続部が径方向の外側へ拡がるのを防止するガラス繊維を含む樹脂から成る絶縁体からなる環状部材を前記上層コイル端部側へ押圧した状態で保持するカラーとを備える回転電機。」
　
（２）　相違点
　ア　相違点１
　環状部材の材料であるガラス繊維を含む樹脂に関して，本願発明は「フェノール樹脂」であるのに対して，引用発明のものは，高強度樹脂である点。
　
　イ　相違点２
　環状部材の形状に関して，本願発明は「板状」でカラーとは別体であるのに対し，引用発明は円筒体でカラーと一体である点。
　
４．判断
　上記相違点について検討する。
（１）　相違点１について
　モータを構成する部材に用いられる絶縁性を有する高強度樹脂として，フェノール樹脂は，例えば，引用刊行物の【００４９】にも記載されているように，出願前周知の技術であるから，上記相違点に係る本願発明の構成は，当業者であれば適宜なし得た選択事項にすぎない。
　
（２）　相違点２について
　回転機において，コイル等の端部部材が遠心力により拡がることを防止するために，遠心方向の移動を防止する環状部材を設けると共に，その環状部材の軸方向の移動を防止する部材を設けることは，例えば，当審の拒絶の理由（平成１８年１０月３日付け）で提示した，実願昭４６−３０７３７号（実開昭４７−２５９０２号）のマイクロフィルム（第１図部材６及び７），特開昭６２−１４４５４３号公報（第２図部材１及び５），特開平３−２８９３３８号公報（第１図部材１８及び１９）にも示されているとおり，出願前周知の技術といえる。 
　すると、上記周知技術に基づき、引用発明のカラーにおいて、下層コイル端部の突出部と上層コイル端部の突出部との接続部が径方向へ拡がるのを防止する環状部分と、上層コイル端部側へ押圧した状態で保持する部分とを別体で構成することに格別の技術的な困難性があるとはいえず，その際に，環状部材の軸方向の長さは，上層及び下層コイル端部の突出部の長さに応じて設定されるべきものであるから，結果として，円筒状となるか，板状となるかは，単なる設計的事項にすぎない。
　したがって，上記周知の技術に基づき，上記相違点に係る本願発明の構成を想到することは、当業者であれば容易になし得たことというべきである。
　
 （３）　そして、本願発明により奏される効果は、引用刊行物に記載された発明及び周知の技術から，当業者であれば予測し得た範囲内のものである。
　したがって，本願発明は，引用刊行物に記載された発明及び周知の技術に基づいて，当業者が容易に発明をすることができたものである。
　
 ５．まとめ 
　以上のとおりであるから，本願発明は，特許法２９条２項の規定により，特許を受けることができない。 　
　よって，結論のとおり決定する。